(57)【要約】【課題】  電源の完全な遮断が可能で、且つ回路的に余計な部品点数を必要としない電源制御装置を提供する。【解決手段】  電源５につながった電源開閉器１と、同じく電源５から分岐されたプッシュスイッチ２と、該プッシュスイッチ２のスイッチが入った時に電源５からの電圧が供給される電圧減算器３と、上記電源開閉器１による回路の開閉に対し指示を与えるＣＰＵ４とを、回路構成の一部として備えている。【選択図】        図１
2005025787.tif 000002
【特許請求の範囲】
【請求項１】
電源につながった電源開閉手段と、
同じく電源から分岐されたスイッチ手段と、
スイッチ手段のスイッチが入った時に電源からの電圧が供給される電圧減算手段と、
上記電源開閉手段による回路の開閉に対し指示を与える制御手段と
を回路構成の一部として備えており、
上記電源開閉手段は、スイッチ手段を介した電源信号又は制御手段から出力される回路閉の指示信号により回路を閉じると共に、
上記電圧減算手段は、回路閉の状態の時は駆動信号を出力せず、該回路閉の状態から上記スイッチ手段のスイッチが入り、電源電圧が供給された時に、制御手段に対し、駆動信号を出力し、
上記制御手段は、回路閉の時に電源開閉手段に対して回路閉の指示信号を出し続け、他方回路閉から電圧減算手段からの駆動信号を受けた時に、電源開閉手段に対して回路開の指示信号を出力することを特徴とする電源制御装置。
【請求項２】
上記電圧減算手段は、ツェナーダイオードを用い、電源電圧を、回路閉の状態時に流れる電圧に変換して、制御手段に出力する駆動信号とすることを特徴とする請求項１記載の電源制御装置。
【発明の詳細な説明】
【技術分野】
【０００１】
本発明は、制御手段、特に回路に使用されるマイクロプロセッサを用いた電源制御装置に関する。
【背景技術】
【０００２】
従来は、図４に示すように、電源１００は電源開閉器１０１に供給され、またその供給途中で分岐したフリップフロップ回路１０３にも供給される。そしてプッシュスイッチ１０２のスイッチ信号が該フリップフロップ回路１０３に与えられることで、このフリップフロップ回路１０３から、電源開閉器１０１に対し、回路の開閉に対する指示信号が出力されることになる。
【発明の開示】
【発明が解決しようとする課題】
【０００３】
しかし、回路が開いた状態、すなわち電源ＯＦＦの状態の時でも、上記フリップフロップ回路１０３には通電が行われ、余計な電力を消費することになる。またフリップフロップ回路１０３分だけ、部品点数も増え、それに対応して製造工数も増えると言った問題があった。
【０００４】
本発明は、以上のような問題に鑑み創案されたもので、電源の完全な遮断が可能で、且つ回路的に余計な部品点数を必要としない電源制御装置を提供せんとするものである。
【課題を解決するための手段】
【０００５】
そのため本発明に係る電源制御装置は、
電源につながった電源開閉手段と、
同じく電源から分岐されたスイッチ手段と、
スイッチ手段のスイッチが入った時に電源からの電圧が供給される電圧減算手段と、
上記電源開閉手段による回路の開閉に対し指示を与える制御手段と
を回路構成の一部として備えており、
上記電源開閉手段は、スイッチ手段を介した電源信号又は制御手段から出力される回路閉の指示信号により回路を閉じると共に、
上記電圧減算手段は、回路閉の状態の時は駆動信号を出力せず、該回路閉の状態から上記スイッチ手段のスイッチが入り、電源電圧が供給された時に、制御手段に対し、駆動信号を出力し、
上記制御手段は、回路閉の時に電源開閉手段に対して回路閉の指示信号を出し続け、他方回路閉から電圧減算手段からの駆動信号を受けた時に、電源開閉手段に対して回路開の指示信号を出力することを基本的特徴としている。
【０００６】
上記電圧減算手段は、ツェナーダイオードを用い、電源電圧を、回路閉の状態時に流れる電圧に変換して、制御手段に出力する駆動信号とするようにすると良い。
【０００７】
上記構成によれば、電源の供給される回路の開閉に関し、該回路上で通常使用されるマイクロプロセッサなどの制御手段で制御できるようになり、回路開の状態の時には完全に電源を遮断できるようになる。
【発明の効果】
【０００８】
本発明の請求項１及び２記載の電源制御装置によれば、電源の供給される回路の開閉に関し、該回路上で他の制御にも使用される制御手段で制御できるようになり、回路開の状態の時には完全に電源を遮断できるようになるという優れた効果を奏し得る。
【０００９】
また電源開閉手段による回路の開閉には、電源のＯＮ・ＯＦＦのためだけに必要とされた上記フリップフロップ回路のような部品が要らず、該回路上で通常使用されるマイクロプロセッサなどの制御手段で制御できるようになり、回路的に余計な部品点数を必要としなくて済むようになる。
【発明を実施するための最良の形態】
【００１０】
以下、本発明の実施の形態を図示例と共に説明する。
図１〜図３は、本発明の一実施形態である電源制御装置が使用された任意の回路構成を示す図面であり、図１はその回路ブロック図、図２は該構成における制御フローを示すフローチャート、また図３は実際の回路構成を示す回路図である。
【００１１】
上記回路では、図１のブロック図に示すように、例えば音響機器などの回路などに使用されるＣＰＵを本発明に係る制御手段として使用して、該音響機器などの回路の電源スイッチＯＮ・ＯＦＦを行うことで、電源の完全な遮断が可能となる。
【００１２】
そのうち上記回路構成の一部として、電源５につながったＴＲ（トランジスタ）やＭＯＳリレーなどで構成される電源開閉器１と、同じく電源５から分岐されたプッシュスイッチ２と、該プッシュスイッチ２のスイッチが入った時に電源５からの電圧が供給される電圧減算器３と、上記電源開閉器１による回路の開閉に対し指示を与えるＣＰＵ４とを備えている。
【００１３】
そして、電源開閉器１は、プッシュスイッチ２を介した電源信号又はＣＰＵ４から出力される回路閉の指示信号（電源ＯＮ信号）により回路を閉じると共に、上記電圧減算器３は、回路閉の状態の時は駆動信号（電源ＯＦＦ信号）を出力せず、該回路閉の状態から上記プッシュスイッチ２のスイッチが入り、電源電圧が供給された時に、ＣＰＵ４に対し、駆動信号を出力し、該ＣＰＵ４は、回路閉の時（ＣＰＵ４に電源が流れている間）に電源開閉器１に対して回路閉の指示信号（電源ＯＮ信号）を出し続け、他方回路閉から電圧減算器３からの上記駆動信号（電源ＯＦＦ信号）を受けた時に、電源開閉器１に対して回路開の指示信号を出力することになる。
【００１４】
上記電圧減算器３は、本実施例ではツェナーダイオードを用い、電源電圧を、回路閉の状態時に流れる電圧に変換して、ＣＰＵ４に出力する駆動信号としている。
【００１５】
上記構成では、電源ＯＦＦの状態からプッシュスイッチ２を押すと、電源開閉器１が閉じる。それによりＣＰＵ４が稼働し、該ＣＰＵ４が電源開閉器１を閉じるように回路閉の指示信号（電源ＯＮ信号）を出し続ける。
【００１６】
他方電源ＯＮの状態からプッシュスイッチ２を押すと、電圧減算器３に入力される電圧が、ＣＰＵ４の電圧（例えば５Ｖ）から電源電圧（例えば１２Ｖ）に上昇する。
【００１７】
電源電圧に上昇すると、電圧減算器３の出力電圧は０ＶからＣＰＵ４の電圧（例えば５Ｖ）に上昇する。その変化を電源ＯＦＦ信号（回路開の指示信号）とし、ＣＰＵ４は電源を切る。
【００１８】
図２は、上記構成のＣＰＵ４における制御フローを示している。まずプッシュスイッチ２がＯＮにされると、プログラムがスタートし、電源制御信号がアクティブになる（ステップＳ１、電源ＯＮ信号出力）。
【００１９】
そして電源関連以外の処理ルーチンが行われる（ステップＳ２）。
【００２０】
その後ＣＰＵ４により、電源ＯＮ信号のイベント検出が行われ（ステップＳ３）、電源ＯＮ信号のイベントがないと判断された場合（ステップＳ４；Ｎｏ）は、ステップＳ１に戻り、該イベントがあると判断された場合（ステップＳ４；Ｙｅｓ）は、次に電源ＯＮ信号がアクティブになっているかが判断される（ステップＳ５）。
【００２１】
該信号がアクティブになっている場合（ステップＳ５；Ｙｅｓ）は、ＰｏｗｅｒＯＦＦフラグがセットされ（ステップＳ６）、ステップＳ１に戻る。
【００２２】
他方上記信号がアクティブになっていなければ（ステップＳ５；Ｎｏ）、ＰｏｗｅｒＯＦＦフラグがセットされているかが判断され（ステップＳ７）、されていなければ（ステップＳ７；Ｎｏ）、ステップＳ１に戻る。
【００２３】
該フラグがセットされていれば（ステップＳ７；Ｙｅｓ）、電源制御信号が非アクティブにされ（ステップＳ８、電源をＯＦＦにする）、処理を終了する。
【００２４】
図１の回路ブロック図構成の実際の装置構成は、図３に示された構成で実現できる。すなわち、図中図１と同じ構成には基本的に同一番号が付与されている。そして、点線で囲まれた１の部分が上記電源開閉器であり、また同じく点線で囲まれた３の部分が上記電圧減算器である。この図では、ＣＰＵ４は、本来の回路の制御を行うものとして、図中その構成が省略されている。
【００２５】
上述したような電圧の変化があるとして、電圧減算器３における電圧の減算変化を説明する。電源ＯＮの状態からプッシュスイッチ２が押されると、電圧減算器３に入力される電圧が、ＣＰＵ４の電圧として与えられている５Ｖから電源電圧１２Ｖに上昇する。この電源電圧に上昇すると、電圧減算器３の出力電圧は０ＶからＣＰＵ電圧、５Ｖに上昇する。その変化を電源ＯＦＦ信号（回路開の指示信号）とし、ＣＰＵ４は電源を切ることになる。従って、電圧減算器３の電圧は７Ｖ減算されたことになる。
【００２６】
また、図中Ｘで表された矢視のパルスを示す信号で、ＣＰＵ４は、電源がＯＦＦであることを検知することになる。
【００２７】
尚、本発明の電源制御装置は、上述の図示例にのみ限定されるものではなく、本発明の要旨を逸脱しない範囲内において種々変更を加え得ることは勿論である。
【産業上の利用可能性】
【００２８】
本発明の電源制御装置は、ＣＰＵなどの制御手段が用いられる回路であれば、如何様な回路構成にも適用できるので、汎用性が高く、該回路で完全に電源を遮断することが可能となる。
【図面の簡単な説明】
【００２９】
【図１】本発明の一実施形態である電源制御装置が任意の回路構成に使用された場合の状態を示す回路ブロック図である。
【図２】上記構成のＣＰＵ４における制御フローを示すフローチャートである。
【図３】図１の構成の実際の回路構成を示す回路図である。
【図４】電源制御装置の従来構成を示す回路ブロック図である。
【符号の説明】
【００３０】
１、１０１  電源開閉器
２、１０２  プッシュスイッチ
３          電圧減算器
４          ＣＰＵ
５、１００  電源
１０３          フリップフロップ回路
【図１】
2005025787.tif 000003
【図２】
2005025787.tif 000004
【図３】
2005025787.tif 000005
【図４】
2005025787.tif 000006